(57)【要約】【課題】高所作業車を必要とせず、地上から簡単に電線等の線条体に危険標示旗を取り付けることが可能な危険標示旗取付装置を提供する。【解決手段】開方向に付勢された操作部１６及び操作部１６を閉じ動作することで閉じ動作する狭持部１８を有し、狭持部１８に危険標示旗４０を挟持可能なはさみ状挟持体１２と、操作部１６の一方の操作端部１６ｂを固定する固定部２０を先端に有する棒状部材１４と、他方の操作端部１６ａに取り付けられた所定長さを有する紐体であるロープ２２とを有し、はさみ状挟持体１２は、操作部１６の中間閉じ状態が維持可能な構成を有し、この中間閉じ状態を越えて更に所定位置まで閉じ動作されると、維持状態が解除され操作部１６が付勢力により全開するように構成されている。他方の操作端部１６ｂの固定部２０への取り付けは、ロープ２２を棒状部材１４に沿って下方へ引き動作したときに、狭持部１８が閉じ動作するように行われる。【選択図】図１
2011244607.tif 000002
【特許請求の範囲】
【請求項１】
電線等の線条体を挟み込むクリップ部に旗が取り付けられた危険標示旗を、地上から危険標示すべき線条体に取り付ける危険標示旗取付装置において、
一対の操作端部が開方向に付勢されて成る操作部と、該操作部を閉じ動作することで一対の挟持端部が閉じ動作する狭持部と、を有し、前記狭持部に前記危険標示旗を挟持可能であり、前記操作部が通常状態の位置から所定の位置まで閉じ動作した中間閉じ状態で維持可能な構成を有し、該中間閉じ状態を越えて更に所定位置まで閉じ動作されると前記維持状態が解除され前記挟持部が前記付勢力により全開するように構成されたはさみ状挟持体と、
該はさみ状挟持体の前記操作部の一方の操作端部を固定する固定部を先端に有する棒状部材と、
前記はさみ状狭持体の前記操作部の他方の操作端部に取り付けられた所定長さを有する紐体と、を有し、
前記一方の操作端部の前記棒状部材の固定部への固定は、
前記他方の操作端部に取り付けられた前記紐体を前記棒状部材に沿って下方へ引き動作したときに、前記狭持部が閉じ動作する状態となるように行われたことを特徴とする危険標示旗取付装置。
【請求項２】
電線等の線条体を挟み込むクリップ部に旗が取り付けられた危険標示旗を、地上から危険標示すべき線条体に取り付ける危険標示旗取付装置において、
一対の操作端部が開方向に付勢されて成る操作部と、該操作部を閉じ動作することで一対の挟持端部が閉じ動作する狭持部と、を有し、前記狭持部に前記危険標示旗を挟持可能であり、前記操作部が通常状態の位置から所定の位置まで閉じ動作した中間閉じ状態で維持可能な構成及び該中間閉じ状態を解除する解除機構を有し、該解除機構を操作すると前記維持状態が解除され前記挟持部が前記付勢力により全開するように構成されたはさみ状挟持体と、
該はさみ状挟持体の前記操作部の一方の操作端部を固定する固定部を先端に有する棒状部材と、
前記はさみ状狭持体の前記操作部の他方の操作端部又は前記解除機構に取り付けられた所定長さを有する紐体と、を有し、
前記一方の操作端部の前記棒状部材の固定部への固定は、
前記他方の操作端部又は前記解除機構に取り付けられた前記紐体を前記棒状部材に沿って下方へ引き動作したときに、前記狭持部が閉じ動作する状態又は前記挟持部が全開状態となるように行われたことを特徴とする危険標示旗取付装置。
【請求項３】
前記棒状部材の固定部への前記一方の操作端部の固定は、
前記棒状部材の先端部に、前記一方の操作端部を挿入して保持可能な穴部を形成し、該穴部に前記一方の操作端部を挿入して為されたことを特徴とする請求項１又は２に記載の危険標示旗取付装置。
【請求項４】
前記棒状部材は、前記一方の操作端部を挿入して固定した部分を、前記棒状部材の他の部分に対して角度付け可能な角度調整機構が設けられたことを特徴とする請求項１から３の何れか１項に記載の危険標示旗取付装置。
【請求項５】
前記はさみ状挟持体の前記狭持部の一対の挟持端部のそれぞれの先端部には、各挟持端部の長さを伸長するガイド片が設けられ、両ガイド片は、先端に向かって互いの離間距離が漸次大きくなるように曲げられたことを特徴とする請求項１から４のいずれか１項に記載の危険標示旗取付装置。
【発明の詳細な説明】
【技術分野】
【０００１】
本発明は、危険標示旗取付装置、特に、危険標示旗を引き込み電線等の線条体に簡単に取り付けることが可能な危険標示旗取付装置に関する。
【背景技術】
【０００２】
配電保守業務には土木建築現場等の巡視が含まれている。この巡視中に、引き込み線工事等において工事基準違反を発見した場合、その違反箇所に危険標示を行うことが義務付けられている。通常は、違反している箇所、例えば、引き込み線等が道路を横断して架設されている場合に、その引き込み線に危険標示旗を取り付けることが行われる。これにより、重機やダンプカーが工事基準違反の為されている道路を走行する際に、引き込み線を引っ掛ける事故等の発生を防ぐことが可能となる。
【０００３】
そのような引き込み線に危険標示旗を取り付ける場合は、巡視作業を終え一端帰社してから、高所作業車等の手配を行い、後日、高所作業車を用いて作業者が引き込み線へ危険標示旗を取り付ける作業を行うこととなる。
【０００４】
図７は、危険標示旗の一例を示す概略斜視図である。危険標示旗４０は、電線等の線条体に取り付けるためのクリップ部４２と旗部４４とを有する。クリップ部４２は弾性力を有する略リング状の本体部４２ｂと、二股に分かれた先端部を構成する線条体把持部４２ａを有する。クリップ部４２は常態では、図７（ａ）に示すように、端部が開口したクロスしない状態、すなわち、電線等を把持できない状態にある。電線等の線条体に取り付けるには、図７（ｂ）に示すように本体部４２ｂの径を狭める方向に力を加えてクロスさせた状態で、先端である線条体把持部４２ａを開き、この開いた線条体把持部４２ａ内に電線等の線条体が位置するように移動させる。そして、本体部４２ｂに印加している力を開放すると、リング状の本体部４２ｂは常態に戻ろうとし、線条体把持部４２ａ内にて電線等の線条体を挟むことができ、図７（ｃ）に示すようにクリップ部４２を電線４６に取り付けることが可能となる。
【０００５】
旗部４４は、プラスチック等の薄いシートで形成されており、旗部４４が電線等に絡むこと及び折り畳まることを防止するために、細い棒状の補強部４４ａが設けられている。旗部４４は、クリップ部４２の本体部４２ｂに取り付けられ、かつ本体部４２ｂに沿って動くように構成されている。そのために、旗部４４の補強部４４ａに、クリップ係合部４４ｂが形成されている。このクリップ係合部４４ｂは、補強部４４ａから、補強部材４４ａの長手方向と直交する方向に円環状に突出形成され、そのようにして形成された係合穴部にクリップ部４２の本体部４２ｂが遊挿されている。
【０００６】
危険標示旗４０を電線に取り付ける際には、例えば、高所作業車等に搭乗した作業員が電線に近づき電線下で、旗部４４が取り付けられたクリップ部４２の本体部４２ｂに力を加えて線条体把持部４２ａを開いて、そこに電線が位置するようにセットし、本体部４２ｂに加えた力を開放する。そうすると線条体把持部４２ａが閉じ、危険標示旗４０が電線４６に、図６（ｃ）に示すように取り付けられることとなる。
【０００７】
特許文献１には、標識設置時間の短縮、経費節約を図る目的で、架空ケーブルに地上から容易に標識を着脱することができる標識着脱装置が開示されている。この標識着脱装置は、標識が連結リングを関して取り付けられる標識取付具と、この標識取付具を架空ケーブルに着脱する操作具とから構成される。標識取付具は、架空ケーブルに取り付けられる取付部と、この取付部の反対側に位置し、押圧されると取付部を開く把持部、及び取付部と把持部の中間に位置し、取付部を常時は閉じた状態に保持するばねとを備えている。操作具は、標識取付具の把持部を押圧した状態で仮止めして取り付けることのできる中空の仮止め部と、この仮止め部の反対側に位置して操作具を操作棹に着脱可能に取り付ける固定部とを備えている。
【０００８】
したがって、作業者はこの操作棹を伸ばして架空ケーブルに標識取付具の取付部を引っ掛け、この状態で操作棹の先端部を移動させることにより標識取付部の仮止めを外せば、架空ケーブルに標識取付具を介して所望の標識を取り付けることができる。
【０００９】
特許文献２には、騒音の発生を防止し、破損し難く、保護線への巻き付けを防止し、その視認性を向上させ得る送電線注意標識旗が開示されている。この送電線注意標識旗は、送電線の近傍地点に保護線を設置し、この保護線に取り付けて送電線との離隔距離を明示するものであって、旗の基辺縁に取り付けロープ保持部を設けると共に、この取り付けロープ保持部に基辺縁より延出する取り付けロープを設け、また他辺縁のそれぞれに補強用芯材を設けて張設旗を形成し、取り付けロープを保護線に重ね、かつ取り付けロープを保護線にコイル状係合具により着脱自在に一体化することで取り付け得る構成になっている。
【先行技術文献】
【特許文献】
【００１０】
【特許文献１】特開平８−９８３５２号公報
【特許文献２】実開平６−６０２２９号公報
【発明の概要】
【発明が解決しようとする課題】
【００１１】
特許文献１に開示されている標識着脱装置は、作業者が架空ケーブルへの標識の設置の必要性を把握した時点で、架空ケーブルに地上から容易に標識を設置することが可能であり、高所作業車を必要としない。しかし、架空線ケーブルに取り付ける取付部の径が決まっているため汎用性が乏しく、また金属材料を使用しているので引き込み線等の電力線には使用できない。
【００１２】
また、特許文献２に開示されている送電線注意標識旗は、取り付けに高所作業車が必要であり、取り付け作業が煩雑である。
【００１３】
本発明は、上記課題に鑑みてなされたものであり、その目的は、高所作業車を必要とせず、地上から簡単に電線等の線条体に危険標示旗を取り付けることが可能な危険標示旗取付装置を提供することにある。
【課題を解決するための手段】
【００１４】
上記目的を達成するため、請求項１に記載の危険標示旗取付装置は、
電線等の線条体を挟み込むクリップ部に旗が取り付けられた危険標示旗を、地上から危険標示すべき線条体に取り付ける危険標示旗取付装置において、
一対の操作端部が開方向に付勢されて成る操作部と、該操作部を閉じ動作することで一対の挟持端部が閉じ動作する狭持部と、を有し、前記狭持部に前記危険標示旗を挟持可能であり、前記操作部が通常状態の位置から所定の位置まで閉じ動作した中間閉じ状態で維持可能な構成を有し、該中間閉じ状態を越えて更に所定位置まで閉じ動作されると前記維持状態が解除され前記挟持部が前記付勢力により全開するように構成されたはさみ状挟持体と、該はさみ状挟持体の前記操作部の一方の操作端部を固定する固定部を先端に有する棒状部材と、前記はさみ状狭持体の前記操作部の他方の操作端部に取り付けられた所定長さを有する紐体と、を有し、前記一方の操作端部の前記棒状部材の固定部への固定は、前記他方の操作端部に取り付けられた前記紐体を前記棒状部材に沿って下方へ引き動作したときに、前記狭持部が閉じ動作する状態となるように行われたことを特徴とする。
【００１５】
この構成によれば、まず、危険標示旗は、はさみ状挟持体の狭持部の中間閉じ状態において、クリップ部が開かれた状態で仮に挟持される。そして、電線等の取り付け位置に位置決めされた状態で、紐体を棒状部材に沿って下方に引き動作させると、はさみ状狭持体の操作部が中間閉じ状態を越えて更に所定位置まで閉じ動作され、維持状態が解除されて挟持部が全開する。これに伴い、危険標示旗のクリップ部が閉じるので、危険標示旗が電線等に取り付けられることとなる。また、危険標示旗を電線等から取り外す場合は、電線等の取り付け位置に位置決めした状態で、紐体を棒状部材に沿って下方に引き動作させ、はさみ状挟持体の挟持部を閉じて危険標示旗のクリップ部の電線把持部を開くことにより取り外しが可能となる。したがって、電線等の線条体に、高所作業車等を必要とせずに地上から的確かつ迅速に危険標示旗を取り付けることができる。また、危険標示旗はクリップ部を用いているので種々の径の線条体に取り付けることが可能である。
【００１６】
上記目的を達成するため、請求項２に記載の危険標示旗取付装置は、
電線等の線条体を挟み込むクリップ部に旗が取り付けられた危険標示旗を、地上から危険標示すべき線条体に取り付ける危険標示旗取付装置において、
一対の操作端部が開方向に付勢されて成る操作部と、該操作部を閉じ動作することで一対の挟持端部が閉じ動作する狭持部と、を有し、前記狭持部に前記危険標示旗を挟持可能であり、前記操作部が通常状態の位置から所定の位置まで閉じ動作した中間閉じ状態で維持可能な構成及び該中間閉じ状態を解除する解除機構を有し、該解除機構を操作すると前記維持状態が解除され前記挟持部が前記付勢力により全開するように構成されたはさみ状挟持体と、該はさみ状挟持体の前記操作部の一方の操作端部を固定する固定部を先端に有する棒状部材と、前記はさみ状狭持体の前記操作部の他方の操作端部又は前記解除機構に取り付けられた所定長さを有する紐体と、を有し、前記一方の操作端部の前記棒状部材の固定部への固定は、前記他方の操作端部又は前記解除機構に取り付けられた前記紐体を前記棒状部材に沿って下方へ引き動作したときに、前記狭持部が閉じ動作する状態又は前記挟持部が全開状態となるように行われたことを特徴とする。
【００１７】
この構成によれば、まず、危険標示旗は、はさみ状挟持体の狭持部の中間閉じ状態において、クリップ部が開かれた状態で仮に挟持される。そして、電線等の取り付け位置に位置決めされた状態で、解除機構に取り付けられた紐体を棒状部材に沿って下方に引き動作させると、維持状態が解除されて挟持部が全開する。これに伴い、危険標示旗のクリップ部の電線把持部が閉じるので、危険標示旗が電線等に取り付けられることとなる。また、危険標示旗を電線等から取り外す場合は、電線等の取り付け位置に位置決めした状態で、操作端部に取り付けられた紐体を棒状部材に沿って下方に引き動作させ、はさみ状挟持体の挟持部を閉じて危険標示旗のクリップ部の電線把持部を開くことにより取り外しが可能となる。したがって、電線等の線条体に、高所作業車等を必要とせずに地上から的確かつ迅速に危険標示旗を取り付けることができる。また、危険標示旗はクリップ部を用いているので種々の径の線条体に取り付けることが可能である。
【００１８】
請求項３に記載の危険標示旗取付装置は、請求項１又は２に記載の危険標示旗取付装置において、
前記棒状部材の固定部への前記一方の操作端部の固定は、前記棒状部材の先端部に、前記一方の操作端部を挿入して保持可能な穴部を形成し、該穴部に前記一方の操作端部を挿入して為されたことを特徴とする。
【００１９】
したがって、はさみ状狭持体を棒状部材に特別な治具等を用いることなく、操作部の一方の操作端部を上記の穴部に挿入することだけで棒状部材に簡単に固定することが可能である。また、穴部の形成は、端部に棒状部材の伸長方向に向けて行うことに限られず、棒状部材の側部に形成することも可能であり、その側部の穴部を棒状部材の伸長方向に対して所定角度傾斜させて形成することで、はさみ条狭持体を棒状部材に対して角度付けして固定することも可能となる。その場合、紐体を下方から引いて操作部を閉じる動作を効果的に行うことができる。更に、線条体に対するクリップ部の取り付けを、線条体の真下からではなく、横方向から取り付けることが可能であり、取り付け作業の容易化も図られる。また、はさみ状狭持体の固定作業に特別な治具等を用いないので、危険標示旗取付装置全体を軽量にすることも可能である。
【００２０】
請求項４に記載の危険標示旗取付装置は、請求項１から３の何れか１項に記載の危険標示旗取付装置において、
前記棒状部材は、前記一方の操作端部を挿入して固定した部分を、前記棒状部材の他の部分に対して角度付け可能な角度調整機構が設けられたことを特徴とする。したがって、はさみ状狭持体の固定状態における棒状部材に対する角度が調整できるので、電線等に危険標示旗を最も取り付け易い方向から取り付けることが可能となり、取り付け作業を効率良く的確に行うことができる。
【００２１】
請求項５に記載の危険標示旗取付装置は、請求項１から４の何れか１項に記載の危険標示旗取付装置において、
前記はさみ状挟持体の前記狭持部の一対の挟持端部のそれぞれの先端部には、各挟持端部の長さを伸長するガイド片が設けられ、両ガイド片は、先端に向かって互いの離間距離が漸次大きくなるように曲げられたことを特徴とする。したがって、一対の挟持端部の先端部分の離間間隔がより大きなものとなり、危険標示旗を取り付ける際に、電線等の線条体の挟持部への取り込み動作が容易なものとなる。したがって、被対象物が風等で動いているような状況においても、容易に危険標示旗を電線等に取り付けることが可能である。
【発明の効果】
【００２２】
本発明の危険標示旗取付装置によれば、危険標示旗を引き込み線などの線条体に、地上から容易かつ的確に取り付けることが可能である。したがって、巡視中に工事基準違反を発見した場合、高所作業車等の手配を行うことなく直ちに危険標示旗を取り付けることが可能となり、配電保守業務を効率的に行うことが可能となり、重機等による引っ掛け事故等を安全に防止することができる。
【図面の簡単な説明】
【００２３】
【図１】本発明の危険標示旗取付装置に係る第１の実施の形態を示す概略斜視図である。
【図２】本発明の危険標示旗取付装置に係る第２の実施の形態を示す概略斜視図である。
【図３】本発明の危険標示旗取付装置に係る第３の実施の形態を示す概略斜視図である。
【図４】本発明の危険標示旗取付装置に係る第４の実施の形態を示す概略斜視図である。ただし、危険標示旗を取り付ける場合について示す。
【図５】本発明の危険標示旗取付装置に係る第４の実施の形態を示す概略斜視図である。ただし、危険標示旗を取り外す場合について示す。
【図６】本発明の危険表示旗取付装置に係る第５の実施の形態を示す概略斜視図である。
【図７】危険標示旗の説明図であって、同図（ａ）は取り付ける前の概略斜視図、同部（ｂ）は、本体部に力を加え線条体挟持部を開いた状態の概略側面図、同図（ｃ）は、電線に取り付けられた状態の概略斜視図である。
【発明を実施するための形態】
【００２４】
（第１の実施の形態）
以下、本発明の実施の形態について図面を参照して説明する。図１は、本発明の第１の実施の形態に係り、危険標示旗取付装置の概略斜視図である。危険標示旗取付装置１０は、危険標示旗４０を挟持するはさみ状狭持体１２と、取り付けに必要な長さを有する棒状部材１４を主な構成要素とする。以下、各構成要素について詳述する。
【００２５】
はさみ状狭持体１２は、操作部１６と狭持部１８を有している。操作部１６は、常に開方向にバネ等（図示していない）により付勢された一対の操作端部１６ａ、１６ｂによって構成されている。この操作部１６を閉動作させると、一対の挟持端部１８ａ、１８ｂを有する狭持部１８も閉動作するようにはさみ状に構成されている。すなわち、一対の操作端部１６ａ、１６ｂを握る（閉じる）ことによって、一対の挟持端部１８ａ、１８ｂの間に物等を挟持できるように構成されている。なお、図示していないが、この狭持部１８の物等を挟持する面には、溝等が形成され、物等の滑落等を好適に防止する。
【００２６】
また、操作部１６の一対の操作端部１６ａ、１６ｂは、全開となる自然状態から所定の位置まで閉動作可能に構成され、中間閉じ状態がラチェット機構（図示していない）により維持され、更に中間閉じ状態を越えて所定の位置まで閉動作されると、ラチェット機構によるロック（維持状態）が解除され、操作部１６が全開するように構成されている。すなわち、操作部１６を所定の位置まで握ると、操作部１６は全開し、同時に狭持部１８も全開し、狭持状態が解除されるように構成されている。
【００２７】
操作部１６を構成する一対の操作端部１６ａ、１６ｂの内の一方の操作端部１６ｂは、後述する棒状部材１４の固定部２０に固定される。他方の操作端部１６ａには、紐体であるナイロン製のロープ２２が取り付けられており、ロープ２２を、はさみ状狭持体１２の操作部１６の一方の操作端部１６ｂが棒状部材１４の固定部２０に固定されている状態で、棒状部材１４に沿って下方に引き動作することにより、操作部１６の一対の操作端部１６ａ、１６ｂの間隔が狭められて行き、操作部１６が所定の位置まで狭められると、ラチェット機構のロックが解除され操作部１６が全開となり、同時に挟持部１８も全開するように構成されている。
【００２８】
なお、ロープ２２は、上記の操作部１６の閉じ動作を容易にするため、図１に示すように、挿入した操作端部１６ｂの下方位置で棒状部材１４の側部に孔部１４ｂを２箇所に設け、この孔部１４ｂを通してロープ２２が下方に垂らされ、ロープ２２の下方への引き動作における引っ張り力が、操作部１６を閉じる力に効率良く変換されるようにしている。そのため、２つの孔部１４ｂ、１４ｂを結ぶ直線方向と棒状部材１４の長手方向とは所定の角度を為しているが、その角度は使用するロープ２２の摩擦係数等を考慮して適宜決めることができる。
【００２９】
また、狭持部１８の一対の狭持端部１８ａ、１８ｂの先端には、それぞれガイド片２４ａ、２４ｂにその先端から突出するように設けられている。ガイド片２４ａは、１本の絶縁被覆された部材にて形成されており、その一端部を狭持端部１８ａの一方の側壁部に固定し、狭持端部１８ａの延在方向に所定長さ直線的に伸長させ、１８０度方向を変えて再び狭持端部１８ａの他方の側壁部まで直線的に延在させ、その他端部をこの狭持端部１８ａの他方の側壁部に固定した構成になっている。なお、同様のガイド片２４ｂが狭持端部１８ｂにも設けられている。更に、特徴的なことは、ガイド片２４ａ、２４ｂは、挟持端部１８ａ、１８ｂの長さを伸長しているだけでなく、両ガイド片２４ａ、２４ｂは、先端に向かって互いの離間距離が漸次大きくなるように曲げられていることである。
【００３０】
このようにガイド片２４によって、その先端部分が一対の狭持端部１８ａ、１８ｂの先端の間隔よりも広く形成されているので、電線等の被対象物である線条体が、風等により揺れている場合でも、電線等はガイド片２４内に容易に取り込まれ、危険標示旗のクリップ部の電線等への取り付けの容易化が図られている。なお、ガイド片２４は、この構成に拘らず、例えば、絶縁体の板材を用いて構成しても良い。
【００３１】
棒状部材１４は、軽量と絶縁のためプラスチック樹脂製等の中空パイプで構成され、危険標示旗４０を地上から取り付けることができるだけの長さを有している。棒状部材１４は１本ものであっても、複数本を継ぎ足した構成であっても良い。
【００３２】
はさみ状狭持体１２の操作部１６の一方の操作端部１６ｂの固定は以下のように為される。すなわち、第１の実施の形態では、固定部２０は、棒状部材１４の先端部に形成された軸方向に所定の深さを有する穴部１４ａであり、この穴部１４ａにはさみ状狭持体１２の操作部１６の一方の操作端部１６ｂを挿入し、ネジ２６で棒状部材１４に固定している。したがって、はさみ条狭持体１２を棒状部材１４に特別な治具等を用いることなく、操作部１６の一方の操作端部１６ｂを上記の穴部１４ａに挿入することだけで簡単に固定することが可能である。
【００３３】
本実施形態の危険標示旗取付装置１０の使用方法は、まず、危険標示旗４０をはさみ状狭持体１２の挟持部１８にセットする。図１には、危険標示旗４０を挟持部１８にセットされた状態が示されている。なお、セットした状態では、危険標示旗４０のクリップ部の線条体把持部（図７参照）は、クロスしない状態で開いた状態にある。次に、はさみ状狭持体１２の操作部１６の一対の操作端部１６ａ、１６ｂの間隔を少し狭め、挟持部１８に危険標示旗４０を挟持させる。この挟持状態では、クリップ部４２の線条体把持部４２ａはクロスして、かつ、その先端部が開いた状態となっている。すなわち、線条体把持部４２ａは、図７（ｂ）に示したように、線条体を受け入れ可能な状態となっている。そして、この中間閉じ状態は、はさみ状狭持体１２の交差連結部に設けられたラチェット機構（図示せず）により維持されるように構成されている。
【００３４】
次に、棒状部材１４の下部を把持し、危険標記旗を取り付けるべき電線等に位置決めする。位置決めした状態で、地上からの作業として、ロープ２２を棒状部材１４に沿って下方に引く。すると、操作部１６が中間閉じ状態を越え更に閉じられ、所定の位置を越えると、ラチェット機構による維持状態が解除され、操作部１６が全開する。操作部１６が全開すると、狭持部１８も全開し、これにより、危険標示旗４０のクリップ部４２の線条体把持部４２ａが閉じて電線等を狭持し、危険標示旗４０が電線等に取り付けられることとなる（上記図７（ｃ）の状態）。なお、取り付け時に電線等に揺れが生じていても、はさみ状挟持体１２のガイド片２４の存在により、電線等の挟持部１８への取り入れ作業はスムーズに行うことができ、的確に危険標示旗４０を取り付けることが可能である。
【００３５】
本実施の危険標示旗取付装置１０によれば、上述のように簡単な構成で装置全体を構成することができ、巡視中に工事基準違反を発見した場合、高所作業車等の手配を行うことなく直ちに危険標示旗４０を的確に取り付けることができ、配電保守業務を効率的に行うことが可能である。これにより、重機等により引っ掛け事故等を安全に防止することができる。
【００３６】
（第２の実施の形態）
図２は、本発明の第２の実施の形態に係る危険標示旗取付装置の概略斜視図である。第１の実施の形態と異なる点は、はさみ状挟持体１２を棒状部材１４へ取り付けるための固定部２０の構成が異なっていることである。固定部２０は、棒状部材１４の先端近傍に、棒状部材１４の軸方向と所定の角度を為して、棒状部材１４の一方の側面から反対側の側面まで貫通して形成された貫通穴１４ｃ−１、１４ｃ−２であり、この貫通穴１４ｃ−１、１４ｃ−２に操作部１６の一方の操作端部１６ｂを挿入し、ネジ２６により棒状部材１４に固定している。貫通穴１４ｃ−１と貫通穴１４ｃ−２を結ぶ直線と、棒状部材１４の長手方向との為す角度は、危険標示旗を電線等に取り付ける際に、最も取り付け易い方向から行えるように、その角度が選定される。
【００３７】
また、ロープ２２は、操作部１６の閉じ動作さを効果的にするため、固定された一方の操作端部１６ｂから、他方の操作端部１６ａの先端に穴部２８を形成し、この穴部２８を遊貫して下方へ垂らされている。図２においては、ロープ２２は、更に棒状部材１４に形成された２つの孔部１４ｂ、１４ｂにも通されているが、場合によっては孔部１４ｂを通さなくても良い。
【００３８】
この構成により、はさみ状挟持体１２が棒状部材１４に対して傾斜させた状態で取り付けられるので、紐体２２を下方から引いて操作部１６を閉じる動作を効果的に行うことができる。また、はさみ条狭持体１２を棒状部材１４に特別な治具等を用いることなく、操作部１６の一方の操作端部１６ｂを上記の貫通穴１４ｃ−１、１４ｃ−２に挿入することだけで簡単に固定することが可能である。したがって、危険標示旗を電線等の真下から取り付けにくい場合、最も取り付け易い方向から取り付けることが可能となり、より迅速かつ的確に危険標示旗の取付作業を完了することができる。その他の効果は実施の形態１と同様である。
【００３９】
（第３の実施の形態）
図３は、本発明の第３の実施の形態に係る危険標示旗取付装置の概略斜視図である。第１、２の実施の形態と異なる点は、はさみ状挟持体１２を棒状部材１４へ取り付けるための固定部２０の構成が異なっている。更に、固定部２０に角度調整機構３２が設けられている点が異なっている。
【００４０】
本実施の形態における固定部２０は、固定部材３０であり、この固定部材３０にはさみ状挟持体１２の操作部１６の一方の操作端部１６ｂが固定される。具体的に、固定部材３０は、断面が矩形である中空の細長箱体形状を有しており、長手方向の両端が開放している。開放している一端からはさみ状挟持体１２の操作部１６の一方の操作端部１６ｂを挿入し、ネジ２６により固定部材３０とはさみ状挟持体１２を固定している。
【００４１】
固定部材３０の他端側には角度調整機構３２が設けられている。角度調整機構３２は、ボルト３２ａとナット（図示していない）を用い、固定部材３０の他端と棒状部材１４がネジ止めできるように構成されている。ボルト３２ａの頭部にはノブ３２ｂが設けられ、角度調整が容易に行えるように構成されている。
【００４２】
この構成により、はさみ状狭持体１２と棒状部材１４との角度が任意に調整できるので、電線等に危険標示旗を最も取り付け易い方向を選び、角度を調整して取り付けることが可能である。また、はさみ状挟持体１２が棒状部材１４に対して傾斜させた状態で取り付けられるので、紐体２２を下方から引いて操作部１６を閉じる動作を効果的に行うことができる。したがって、取り付け作業を一層効率良く的確に行うことができる。その他の効果は、第１及び第２の実施の形態と同様である。
【００４３】
（第４の実施の形態）
図４、５は、本発明の第４の実施の形態に係る危険標示旗取付装置の概略斜視図である。ただし、図４は、危険標示旗を電線４６に取り付ける場合、図５は、危険標示旗を電線から取り外す場合について示す。第１、２、３の実施の形態と異なる点は、はさみ状挟持体１２に中間維持状体を解除できる解除機構３４が設けられていることである。また、はさみ状挟持体１２を、棒状部材１４へ取り付けるための固定部２０の構成も異なっている。なお、固定部２０に角度調整機構３２が設けられている点は、第３の実施の形態と同様である。
【００４４】
本実施の形態における固定部２０は、平板状の固定部材３１であり、この固定部材３１にはさみ状挟持体１２の操作部１６の一方の操作端部１６ｂが固定される。具体的に、固定部材３１は、透明で平板状の細長形状を有しており、はさみ状挟持体１２の操作部１６の一方の操作端部１６ｂに固定部材３２を沿わせて、ネジ２６により固定部材３１と操作端部１６ｂを固定している。固定部材３２の端部には角度調整機構３２が設けられており、ボルト３２ａとナット（図示していない）を用い、固定部材３２の端部と棒状部材１４が共にネジ止めできるように構成されている。ボルト３２ａの頭部にはノブ３２ｂが設けられ、角度調整が容易に行えるように構成されている。
【００４５】
はさみ状挟持体１２は、操作部１６を閉じ動作した場合の中間の閉じ状態が維持されるようになっている。これは、第１、第２及び第３の実施の形態と同様である。異なる点は、この維持状態を解除する解除機構３４があり、解除機構３４内の爪部３４ａを操作すると維持状態が開放され、挟持部１８が全開するように構成されている。爪部３４ａは、操作部１６の一方の操作端部１６ｂの内側に移動可能に構成されている。具体的に、爪部３４ａを操作するとは、例えば爪部３４ａを、ロープ２２を用いて、操作部１６の一方の操作端部１６ｂの内側に引くことである。したがって、第１、第２及び第３の実施の形態と異なり、はさみ状挟持体１２が如何なる中間維持にあっても、その維持状態が即座に解除できることとなる。
【００４６】
図４は、危険標示旗４０を電線に取り付ける場合について示している。紐体であるロープ２２は、この場合、解除機構３４の爪部３４ａに取り付けられている。まず、危険標示旗４０をはさみ状狭持体１２の挟持部１８にセットする。次に、はさみ状狭持体１２の操作部１６の一対の操作端部１６ａ、１６ｂの間隔を少し狭め、挟持部１８に危険標示旗４０を挟持させる。この挟持状態では、クリップ部４２の線条体把持部４２ａはクロスして、かつ、その先端部が開いた状態となっている。すなわち、線条体把持部４２ａは、電線４６を受け入れ可能な状態となっている。そして、この中間閉じ状態は、はさみ状狭持体１２の交差連結部に設けられたラチェット機構（図示せず）により維持されるように構成されている。次いで、棒状部材１４の下部を把持し、危険標記旗を取り付けるべき電線４６に位置決めする。位置決めした状態で、地上からの作業として、解除機構３４の爪部３４ａに取り付けられたロープ２２を棒状部材１４に沿って下方に引く。すると、ラチェット機構による維持状態が解除され、操作部１６が全開する。操作部１６が全開すると、狭持部１８も全開し、これにより、危険標示旗４０のクリップ部４２の線条体把持部４２ａが閉じて電線４６を狭持し、危険標示旗４０が電線４６に取り付けられることとなる（上記図７（ｃ）の状態）。
【００４７】
図５は、危険標示旗４０を電線から取り外す場合について示している。この場合、ロープ２２は、はさみ状挟持体１２の操作部１６の他方の操作端部１６ａに取り付けられている。棒状部材１４の下部を把持し、危険標記旗を取り外すべき電線に位置決めする。位置決めした状態で、地上からの作業として、操作部１６の他方の操作端部１６ａに取り付けられたロープ２２を棒状部材１４に沿って下方に引く。すると挟持部１８が閉じて危険標示旗４０のクリップ部４２の電線把持部４２ａが開き、危険標示旗４０を電線から取り外しすることが可能となる。
【００４８】
本実施の形態の危険標示旗取付装置によれば、はさみ状挟持体１２の中間維持状態が解除機構３４により素早く解除できるので、危険標示旗４０を電線等に素早く取り付けることが可能である。その他の効果は、第１、第２及び第３の実施の形態と同様である。
【００４９】
（第５の実施の形態）
図６は、第５の実施の形態に係る危険標示旗取付装置の概略斜視図である。はさみ状挟持体１２は、他方の操作端部１６ａ又は解除機構３４の爪部３４ａを、１本のロープ２２でその都度付け替えることなく操作できるように構成したものである。危険標示旗４０の電線等への取り付け及び取り外しは、第４の実施の形態と同様であり、説明は省略する。
【００５０】
ロープ２２は、一方の操作端部１６ｂに形成されている孔部を遊貫し、爪部３４ｂにその延在方向に延長して設けられた接続部材３６を通り、操作部１６の他方の操作端部１６ａに固定されている。若しくは、他方の操作端部１６ａに形成された孔部から外側に通され結び目が形成され、他方の操作端部１６ａから引き抜くことが出来ないように構成されている。ロープ２２は、一方の操作端部１６ｂ、接続部材３６の部分では形成された孔部に遊挿されている状態である。また、スリーブ３８がロープ２２に通され、接続部材３６と他方の操作端部１６ａの間でロープ２２に沿って自由に移動できるように構成されている。更に、スリーブ３８には雄ネジ３８ａが螺合されており、この雄ネジ３８ａによりスリーブ３８をロープ２２に固定することが可能である。
【００５１】
第５の実施の形態において、危険標示旗４０を電線４６に取り付ける場合は、スリーブ３８を接続部材３６に当接させた状態で雄ネジ３８ａを締め付け、スリーブ３８をロープ２２に固定させる。この状態で、ロープ２２を下方から引くと、解除機構３４の爪部３４ａが操作端部１６ｂの内側に移動し、挟持部１８が全開し、危険標示旗４０が電線４６に取り付けられることとなる。危険表示旗４０を取り外す場合は、スリーブ３８をロープ２２に沿って接続部材３６と他方の操作端部１６ａの間に遊挿させた状態とし、スリーブ３８はロープ２２に固定させない。この状態で、ロープ２２を下方から引くと、操作部１６が閉じ、危険標示旗４０のクリップ部４２の電線把持部４２ａが開き、危険標示旗４０を電線から取り外しすることが可能となる。
【００５２】
この構成により、スリーブ３８をロープ２２の何処で固定するかによって、１本のロープ２２で解除機構３４の爪部３４ａ又は他方の操作端部１６ａの何れか一方のみを操作することが出来るため、ロープ２２の付け替え等が不要となり、危険標示旗取付装置の使い勝手が良く、危険標示旗４０を効率良く電線に取り付け、又は取り外すことが可能である。
【００５３】
なお、本発明は、上述の第１から第５の実施の形態に限定されるものではなく、本発明の趣旨を逸脱しない範囲で種々の変更が可能である。例えば、第３の実施の形態では、断面が矩形の中空の細長箱体形状の固定部材３０と、ボルト３２ａとナットによる角度調整機構を示したが、この構成に拘らない。
【符号の説明】
【００５４】
１０  危険標示旗取付装置
１２  はさみ状挟持体
１４  棒状部材
１６  操作部
１６ａ、１６ｂ  操作端部
１８  挟持部
１８ａ、１８ｂ  挟持端部
２０  固定部
２２  ロープ（紐体）
２４ａ、２４ｂ  ガイド片
３０、３１  固定部材
３２  角度調整機構
３４  解除機構
３４ａ  爪部
３６  接続部材
３８  スリーブ
３８ａ  雄ネジ
４０  危険標示旗
４２  クリップ部
４２ａ  電線把持部
４４  旗部
【図１】
2011244607.tif 000003
【図２】
2011244607.tif 000004
【図３】
2011244607.tif 000005
【図４】
2011244607.tif 000006
【図５】
2011244607.tif 000007
【図６】
2011244607.tif 000008
【図７】
2011244607.tif 000009